(57)【要約】【課題】  本考案はベッドと車椅子、車椅子と車、寝室と居間や浴室との間等の搬送を、被介護者を抱きかかえたり、被介護者に負担をかけることなく、介護者が容易に行なうことができる搬送用座椅子を得るにある。【解決手段】  車椅子のシートクッション上に人が座った状態で着脱可能に位置させることができる薄板状の搬送用シートクッションと、この搬送用シートクッションの両側部に取付けられた搬送時に使用する持ち手と、前記搬送用シートクッションの後端部に、該搬送用シートクッションとほぼ同一平面状態からほぼ直角状態位置まで回動するように取付けられ、かつ前記車椅子のシートバックに当接させることができる薄板状の搬送用シートバックとで搬送用座椅子を構成している。【選択図】  図５
0003166439.tif 000002
【実用新案登録請求の範囲】
【請求項１】
車椅子のシートクッション上に人が座った状態で着脱可能に位置させることができる薄板状の搬送用シートクッションと、この搬送用シートクッションの両側部に取付けられた搬送時に使用する持ち手と、前記搬送用シートクッションの後端部に、該搬送用シートクッションとほぼ同一平面状態からほぼ直角状態位置まで回動するように取付けられ、かつ前記車椅子のシートバックに当接させることができる薄板状の搬送用シートバックとからなることを特徴とする搬送用座椅子。
【請求項２】
搬送用シートクッションの後部両側部には、該搬送用シートクッションの先端部を上方へ回動させることにより、容易に移動させることができる車輪が取付けられるとともに、搬送用シートバックの両側部には搬送時に使用する持ち手が設けられていることを特徴とする請求項１記載の搬送用座椅子。
【考案の詳細な説明】
【技術分野】
【０００１】
本考案はベッドと車椅子、車椅子と車、寝室と居間や浴室との間等の、被介護者を搬送（移動）させる場合に使用する搬送用座椅子に関する。
【背景技術】
【０００２】
従来、歩行が困難な被介護者のベッドと車椅子間の移動、寝室と居間や浴室間の移動等はほとんどの場合、介護者が両脇から抱きかかえるようにして行なっている。このため、この作業がたいへんで、重労働になっている。
また、被介護者を介護者が両脇から抱きかかえるため、近親者以外の介護者を被介護者が嫌がるというのが現実であった。
【先行技術文献】
【特許文献】
【０００３】
【特許文献１】特開２０１０−５７９６１号公報
【特許文献２】特開２００８−２７２４００号公報
【特許文献３】登録実用新案第３０６７５８５号公報
【考案の概要】
【考案が解決しようとする課題】
【０００４】
本考案は以上のような従来の欠点に鑑み、ベッドと車椅子、車椅子と車、寝室と居間や浴室との間等の搬送を、被介護者を抱きかかえたり、被介護者に負担をかけることなく、介護者が容易に行なうことができる搬送用座椅子を提供することを目的としている。
【０００５】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００６】
上記目的を達成するために、本考案は車椅子のシートクッション上に人が座った状態で着脱可能に位置させることができる薄板状の搬送用シートクッションと、この搬送用シートクッションの両側部に取付けられた搬送時に使用する持ち手と、前記搬送用シートクッションの後端部に、該搬送用シートクッションとほぼ同一平面状態からほぼ直角状態位置まで回動するように取付けられ、かつ前記車椅子のシートバックに当接させることができる薄板状の搬送用シートバックとで搬送用座椅子を構成している。
【考案の効果】
【０００７】
以上の説明から明らかなように、本考案にあっては次に列挙する効果が得られる。
（１）請求項１により、搬送用シートクッションと搬送用シートバックをほぼ同一平面状態にすることができる。
したがって、ベッド上の被介護者を横向きの状態にして、後ろからほぼ同一平面状態にした搬送用シートクッションと搬送用シートバックの一側面を被介護者に当接するように位置させ、被介護者を搬送用シートクッションに乗るように仰向けに回動させた後、搬送用シートバックを搬送用シートクッションに対し、ほぼ直角状態となるように回動させることにより、搬送用座椅子に座った状態にできる。この状態で、搬送用シートクッションの両側部の持ち手を介護者が持って持ち上げ、車椅子のシートクッション上に移動させることができる。
この時、被介護者は搬送用座椅子に座った状態で、介護者は搬送用シートクッションの両側部の持ち手を持って搬送用座椅子を持ち上げる作業でよいので、手を滑らせることもなく、少ない労力で車椅子に移動させることができる。
（２）前記（１）により、ベッドと車椅子、車椅子と車への移動は搬送用座椅子に座った状態で被介護者を搬送用座椅子ごと行なうので、被介護者を抱きかかえることなく楽に行なうことができるとともに、搬送用座椅子を移動先の車椅子や車でそのまま使用するので、取り外し等の作業が不要で、楽に使用することができる。
（３）前記（１）により、構造が簡単で、安価に製造することができる。
（４）請求項２も前記（１）〜（３）と同様な効果が得られるとともに、搬送用シートクッションの先端部を上方へ回動させることにより、車輪で簡単に移動することができるとともに、搬送用シートバックの両側部に設けられた持ち手によって２人の介護者での移動作業を容易に行なうことができる。
【図面の簡単な説明】
【０００８】
【図１】本考案を実施するための第１の形態の側面図。
【図２】本考案を実施するための第１の形態の平面図。
【図３】本考案を実施するための第１の形態の正面図。
【図４】本考案を実施するための第１の形態の搬送用シートバックを倒した状態の説明図。
【図５】本考案を実施するための第１の形態のベッドから被介護者を座らせる状態の説明図。
【図６】本考案を実施するための第１の形態のベッドから車椅子への移動状態の説明図。
【図７】本考案を実施するための第１の形態の車椅子から車への移動状態の説明図。
【図８】本考案を実施するための第２の形態の側面図。
【図９】本考案を実施するための第２の形態の平面図。
【図１０】本考案を実施するための第２の形態の２人の介護者で搬送する状態の説明図。
【図１１】本考案を実施するための第３の形態の側面図。
【図１２】本考案を実施するための第３の形態の平面図。
【図１３】本考案を実施するための第３の形態の床面を移動する時の説明図。
【考案を実施するための形態】
【０００９】
以下、図面に示す本考案を実施するための形態により、本考案を詳細に説明する。
【００１０】
図１ないし図７に示す本考案を実施するための第１の形態において、１はベッドと車椅子、車椅子と車の座席、寝室と居間や浴室との間等を、被介護者を介護者が搬送（移動）させる場合に使用する本考案の搬送用座椅子で、この搬送用座椅子１は車椅子２のシートクッション３に被介護者４が座った状態で着脱可能に位置させることができる薄板状の搬送用シートクッション５と、この搬送用シートクッション５の両側ほぼ中央部に取付けられた、前記車椅子２の肘掛け６、６の上部に上部が位置して、該肘掛け６、６に手が衝突しない搬送時に使用する可撓性のロープや紐を用いた持ち手７、７と、前記搬送用シートクッション５の後端部に、該搬送用シートクッション５とほぼ同一平面状態からほぼ直角状態位置まで回動するように回動機構８を介して取付けられ、かつ前記車椅子２のシートバック９に当接させることができる薄板状の搬送用シートバック１０とで構成されている。
【００１１】
前記搬送用シートクッション５は被介護者４を座らせて持ち上げても損傷しない強度となる薄い材質で形成されたシートクッション本体１１と、このシートクッション本体１１の上面にクッション材１２を介して、該上面を覆うシートクッションカバーシート１３とで構成されている。
【００１２】
前記搬送用シートバック１０は被介護者４の荷重が加わっても損傷しない強度となる薄い材質で形成されたシートバック本体１４と、このシートバック本体１４の表面側にクッション材１５を介して、該シートバック本体１４の全体を覆うように取付けられたシートバックカバーシート１６とで構成されている。
【００１３】
前記回動機構８は前記シートクッション本体１１の後端部の両側部に両端部が外方へ突出するように固定された固定軸１７と、この固定軸１７の両端部に固定されたラチェット歯１８、１８と、前記固定軸１７の両端部寄りに回動可能に取付けられた前記シートバック本体１４の下部両端部に固定された回動軸１９、１９と、この回動軸１９、１９に枢支ピン２０、２０で枢支された、前記ラチェット歯１８、１８と噛み合うラチェット係止片２１、２１と、前記ラチェット歯１８、１８およびラチェット係止片２１、２１を覆うように前記シートクッション本体１１に取付けられたカバー２２、２２と、前記ラチェット係止片２１、２１の前記ラチェット歯１８、１８との噛み合いを解除する前記カバー２２、２２に形成された長孔２３、２３を介して外方に設けられた解除レバー２４、２４とで構成されている。
【００１４】
上記構成の搬送用座椅子１は、ベッド２５の被介護者４を車椅子２に乗せる場合、ベッド２５上の被介護者４を横向き状態にし、後ろから搬送用シートクッション５と搬送用シートバック１０とをほぼ同一平面状態になるように回動機構８の解除レバー２４、２４を解除方向に操作し、搬送用シートバック１０を倒し、被介護者４の臀部４ａに搬送用シートクッション５の一側面が当接するように位置させる。
【００１５】
しかる後、被介護者４を搬送用シートクッション５に乗るように仰向けとなるように回動させることにより、搬送用シートクッション５上に被介護者４の臀部４ａが位置した状態となる。
【００１６】
この状態から搬送用シートバック１０の上部を上方へ回動させ、該搬送用シートバック１０がほぼ垂直状態になるように位置させ、被介護者４が搬送用座椅子１に座った状態にする。
【００１７】
しかる後、介護者２６が搬送用シートクッション５の両側部に取付けられた持ち手７、７を持って、被介護者４ごと搬送用座椅子１を持ち上げ、車椅子２のシートクッション３上に搬送用座椅子１の搬送用シートクッション５を位置させる。
【００１８】
この時、搬送用座椅子１の持ち手７、７の上部は車椅子２の肘掛け６、６の上部に位置するので、介護者２６の持ち手７、７を持っている手が肘掛け６、６に挟まれて怪我をしたりするのを確実に防止できる。
【００１９】
車椅子２には搬送用座椅子１と被介護者４が乗った状態となって、従来と同様に移動することができる。
【００２０】
車椅子２より車２７の助手席や後部座席２８へ移動させる場合には、搬送用シートクッション５の両側部に取付けられた持ち手７、７を持って、被介護者４ごと搬送用座椅子１を持ち上げ、車２７の座席２８上に搬送用シートクッション５を位置させることにより、車椅子２より車２７の座席２８に移動させることができる。
【００２１】
なお、車２７の座席２８から車椅子２への移動、車椅子２からベッド２５への移動、寝室と居間や浴室への移動は前述と同様な操作をすることにより、容易に行なうことができる。
【００２２】
また、浴室でも使用できるものにおいてはシートクッションカバーシート１３およびシートバックカバーシート１６を、防水材を用いて製造しておくことにより、浴室内でも使用することができる搬送用座椅子にすることができる。
【００２３】
なお、前記搬送用シートクッション５の両側ほぼ中央部に取付けられた持ち手７、７は、車椅子２のシートクッション３の幅寸法より、該搬送用シートクッション５の幅寸法が小さく設定されている場合には、比較的に短い長さの持ち手７、７にしても車椅子２の肘掛け６、６に挟まれたりするのを防止することが出来る。    
【００２４】
[考案を実施するための異なる形態]
次に、図８ないし図１３に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００２５】
図８ないし図１０に示す本考案を実施するための第２の形態において、前記本考案を実施するための第１の形態と主に異なる点は、搬送用シートバック１０の両側ほぼ中央部に持ち手２９、２９を設けた点で、このように構成された搬送用座椅子１Ａにしても、前記本考案を実施するための第１の形態と同様な作用効果が得られるとともに、被介護者４を図１０に示すように寝た状態にして、２人の介護者２６、２６で搬送することができる。
【００２６】
図１１ないし図１３に示す本考案を実施するための第３の形態において、前記本考案を実施するための第１の形態と主に異なる点は、搬送用シートクッション５の後部両側部に、該搬送用シートクッション５の先端部を上方へ回動させることにより容易に移動させることができる車輪３０、３０を取付けた点で、このように構成された搬送用座椅子１Ｂにしても、前記本考案を実施するための第１の形態と同様な作用効果が得られるとともに、図１３に示すように搬送用座椅子１Ｂに被介護者４を座らせて、搬送用シートクッション５の先端部を上方へ回動させることにより、床面に車輪３０、３０だけが接触した状態となり、移動を車輪３０、３０の転動で行なうことができる。
【００２７】
なお、搬送用シートクッション５に取付ける車輪３０、３０は、搬送用シートクッション５と搬送用シートバック１０とをほぼ同一平面にした時に、被介護者４が乗り移る場合に、じゃまにならない大きさのものが選択して使用される。
【００２８】
前記本考案の実施の形態ではラチェット歯１８を用いた回動機構８を用いたが、本考案はこれに限らず、搬送用シートクッション５と搬送用シートバック１０とをほぼ同一平面からほぼ直角状態まで回動し、かつその回動位置で停止できる、いままで座椅子で使用されている回動機構であれば、どんな回動機構であってもよい。
【００２９】
また、搬送用シートクッション５や、搬送用シートバック１０をフレーム材と、このフレーム材を覆う布性のシート材で形成したものであってもよい。
さらに、搬送用シートクッション５の先端部には回動可能なフットレストを設けたり、搬送用シートバック１０の上部にヘッドレストを設けたものを使用してもよい。
【産業上の利用可能性】
【００３０】
本考案はベッドと車椅子、車椅子と車、寝室と居間や浴室との間等を被介護者を搬送させる場合に使用する搬送用座椅子を製造する産業で利用される。
【符号の説明】
【００３１】
１、１Ａ、１Ｂ：搬送用座椅子、２：車椅子、
３：シートクッション、    ４：被介護者、
５：搬送用シートクッション、  ６：肘掛け、
７：持ち手、        ８：回動機構、
９：シートバック、      １０：搬送用シートバック、
１１：シートクッション本体、  １２：クッション材、
１３：シートクッションカバーシート、
１４：シートバック本体、    １５：クッション材、
１６：シートバックカバーシート、
１７：固定軸、      １８：ラチェット歯、
１９：回動軸、      ２０：枢支ピン、
２１：ラチェット係止片、    ２２：カバー、
２３：長孔、        ２４：解除レバー、
２５：ベッド、      ２６：介護者、
２７：車、        ２８：座席、
２９：持ち手、      ３０：車輪。
【図１】
0003166439.tif 000003
【図２】
0003166439.tif 000004
【図３】
0003166439.tif 000005
【図４】
0003166439.tif 000006
【図５】
0003166439.tif 000007
【図６】
0003166439.tif 000008
【図７】
0003166439.tif 000009
【図８】
0003166439.tif 000010
【図９】
0003166439.tif 000011
【図１０】
0003166439.tif 000012
【図１１】
0003166439.tif 000013
【図１２】
0003166439.tif 000014
【図１３】
0003166439.tif 000015